(57)【要約】【課題】  簡単に収納することができる収納性が良く、カップ内に熱い液体（コーヒー、紅茶等）を注ぎ込んでも熱くて持てなくなることがなく、カップを床、テーブル等に置いたときに安定性を得ることのできるカップセットを提供すること。【解決手段】  底部４が閉塞し上方にラッパ状に拡がり開口するカップ２と，一端が小径に形成され開口する底部開口部８から上方にラッパ状に拡がり開口する広径開口部１０を形成し、カップ２に重ねて収納するホルダー３とによって構成する。【選択図】  図  １
2007037869.tif 000002
【特許請求の範囲】
【請求項１】
底部が閉塞し上方にラッパ状に拡がり開口するカップと，
一端が小径に形成され開口する底部開口部から上方にラッパ状に拡がり開口する広径開口部を形成し、前記カップに重ねて収納するホルダーと，
によって構成してなるカップセット。
【請求項２】
前記ホルダーは、前記カップの半分上の部分と同一の形状に形成したものである請求項１に記載のカップセット。
【請求項３】
前記カップの外側面に周回する溝状の凹部を形成し、前記ホルダーの底部開口部端部に前記底部開口部の内側に向かって突出し、前記凹部に嵌着する凸部を形成したことを特徴とする請求項１又は２に記載のカップセット。
【請求項４】
前記ホルダーを前記カップに重ねて収納する際に、前記ホルダーの凸部を前記カップの凹部に嵌着させて収納するようにしたことを特徴とする請求項３に記載のカップセット。
【請求項５】
前記ホルダーは、内側に少なくとも２以上の舌片を形成し、前記ホルダーの内壁面に取り付けた取付部で折り曲げて形成したものである請求項１，２，３又は４に記載のカップセット。
【請求項６】
底部が閉塞し上方にラッパ状に拡がり開口するカップと，
一端が小径に形成され開口する底部開口部から上方にラッパ状に拡がり開口する広径開口部を形成し、前記カップに重ねて収納するホルダーと，
を備え、前記ホルダーの底部開口部側から前記カップの底部側を嵌合して装着して構成したことを特徴とするカップセット。
【請求項７】
前記ホルダーは、前記カップの半分上の部分と同一の形状に形成したものである請求項６に記載のカップセット。
【請求項８】
前記カップの外側面に周回する溝状の凹部を形成し、前記ホルダーの底部開口部端部に前記底部開口部の内側に向かって突出し、前記凹部に嵌着する凸部を形成したことを特徴とする請求項７に記載のカップセット。
【請求項９】
前記ホルダーを前記カップに重ねて収納する際に、前記ホルダーの凸部を前記カップの凹部に嵌着させて収納するようにしたことを特徴とする請求項８に記載のカップセット。
【請求項１０】
前記ホルダーは、内側に少なくとも２以上の舌片を形成し、前記ホルダーの底部開口部側から前記カップの底部側を嵌合して装着した際に、前記ホルダーの底部開口部側から前記カップの底部側を嵌合したときに前記舌片が前記カップの外周面に接触し、前記舌片によって前記カップを支えるようにしたことを特徴とする請求項９に記載のカップセット。
【請求項１１】
前記ホルダーの内側に形成される舌片は、前記ホルダーの内壁面に取り付けた取付部で折り曲げ可能に構成したものである請求項１０に記載のカップセット。
【発明の詳細な説明】
【技術分野】
【０００１】
本発明は、日本茶、コーヒー等の高温の液体を注入する紙製、樹脂製のカップに係り、特に高温の液体を注入した後、テーブル等の台に載置した際に、安定性を持たせ、運ぶ際に断熱効果のあるカップセットに関する。
【背景技術】
【０００２】
現在の遊園地、野球場、サッカー場などの観客の集合する場所において販売される飲み物は、多くが紙製のカップ、樹脂製のカップにその場で注いで購入者に渡されている。このためカップ内に熱い液体（コーヒー、紅茶等）を注ぎ込むと、カップを持って移動する際、カップに熱が伝導し、熱くて持てなかったりする。そこで、従来、ホルダーの把持部を別途形成して取扱いを容易にするとともに、把持部の形状改良で把持状態の安定性を向上した紙コップホルダーが提案されている（例えば、特許文献１参照。）。
【０００３】
また、このようなコップは、保存の際、コップにコップを積み重ねて場所を取らないようにしているので、液体を注ぐ開口部の径より、底面の径の方が小さく形成されている。このため、従来のカップは、コップ内に熱い液体（コーヒー、紅茶等）を注ぎ込んだコップを床、テーブル等に置いたときに安定性が悪く、強風を受けたときなど簡単に倒れ易いものとなっていた。そこで、従来、紙コップ等、安定の悪いコップを風や揺れからの転倒を防ぐコースターが提案されている（例えば、特許文献２参照。）。
【特許文献１】特開平７−２１３４０８号（第２〜３頁  図２）
【特許文献２】特開２００２−２４８０４４（第２頁  図２、３）
【発明の開示】
【発明が解決しようとする課題】
【０００４】
このような特許文献１の紙コップホルダーの場合、スリット８，８ａ及び連結嵌合部９，９ａで交差状態に組付けたホルダー１の把持部１４を飲食者等が把持した状態で、円環保持部１２の内面で紙コップ２の外面を接触保持し、ホルダー１で紙コップ２を支承した状態で、紙コップ２内にホット飲料又はコールド飲料を注入するものである。したがって、特許文献１の紙コップホルダーの場合、ホルダー１で紙コップ２を支承した状態のままであれば、安定性はあるが、紙コップを床、テーブル等に置いたときに安定性が悪く、強風を受けたときなど簡単に倒れ易いものとなっているという問題を有している。
【０００５】
また、特許文献２の場合、紙コップ等、安定の悪いコップを風や揺れからの転倒を防ぐコースターに装着するものである。そして、この特許文献２の紙コップ等転倒防止の組み立て式立体コースターは、山折り線（５）と山折り線（８）を山折りし、切り込み（４）に切り込み（９）により形成されるストッパー（１０）を差し込む事によって、底部（１１）と底部（１３）より幅が２割程長いホルダー部（１２）はたわみ、かまぼこ形の立体となってコースター（３）が形成されている。そして、特許文献２のコップ差込み口（６）の内側には、多数のべろ（２）があり、べろ（２）が自在に山折り線（７）によって折れ込むので、コップの大きさを選ばずにコースター（３）に固定され、またコップ差込み口（６）は立体部分の高い位置にあるのでしっかりとコップを固定し、コップ装着時はコップの底面がコースター（３）の底部（１３）となり、安定するようになっている。
【０００６】
したがって、紙コップ等、安定の悪いコップを風や揺れからの転倒を防ぐコースターに装着する特許文献２の場合、紙コップを床、テーブル等に置いたときに安定性はあるが、紙コップ内に熱い液体（コーヒー、紅茶等）を注ぎ込むとき、紙コップを持って移動する際、紙コップに熱い液体の熱が伝導し、熱くて持てなかったり、それを防ぐために紙コップ等をコースターに装着した後で紙コップ内に熱い液体（コーヒー、紅茶等）を注ぎ込むことになり、取り扱い性が悪いという問題を有している。
【０００７】
本発明の目的は、簡単に収納することができる収納性が良く、カップ内に熱い液体（コーヒー、紅茶等）を注ぎ込んでも熱くて持てなくなることがなく、カップを床、テーブル等に置いたときに安定性を得ることのできるカップセットを提供することにある。
【課題を解決するための手段】
【０００８】
本願第１の発明に係るカップセットは、底部が閉塞し上方にラッパ状に拡がり開口するカップと，一端が小径に形成され開口する底部開口部から上方にラッパ状に拡がり開口する広径開口部を形成し、前記カップに重ねて収納するホルダーとによって構成したものである。
【０００９】
また、本願第２の発明に係るカップセットは、底部が閉塞し上方にラッパ状に拡がり開口するカップと，一端が小径に形成され開口する底部開口部から上方にラッパ状に拡がり開口する広径開口部を形成し、前記カップに重ねて収納するホルダーとを備え、ホルダーの底部開口部側からカップの底部側を嵌合して装着して構成したものである。
【発明の効果】
【００１０】
本発明によると、簡単に収納することができる収納性が良く、カップ内に熱い液体（コーヒー、紅茶等）を注ぎ込んでも熱くて持てなくなることがなく、カップを床、テーブル等に置いたときに安定性を保つことができる。
【発明を実施するための最良の形態】
【００１１】
本発明に係るカップセットは、底部が閉塞し上方にラッパ状に拡がり開口するカップと，底部が開口し上方にラッパ状に拡がり開口するホルダーとからなり、未使用時には、ホルダーの広径開口側にカップの小径閉塞部からカップを嵌着して収納し、カップに内に熱い液体（コーヒー、紅茶等）を注ぎ込むときには、ホルダーを天地逆にし、ホルダーの小径開口側にカップの小径閉塞部を嵌着して使用することにより達成される。
【実施例１】
【００１２】
図１には本発明に係るカップセットの第１の実施例を示す全体構成図が示されている。
【００１３】
図１において、カップセット１は、カップ２とホルダー３とからなっている。このカップ２は、底部４によって閉塞された小径閉塞部５を備え、この底部４から上方にラッパ状に拡がる筒部６を有している。この筒部６の上端部には、開口する広径開口部７が形成されている。この底部４は、カップ２の小径閉塞端部５ａより少し上がった位置に設けられている。このように底部４を、カップ２の小径閉塞端部５ａより少し上がった位置に設けるのは、カップ２に熱い液体（コーヒー、紅茶等）を注ぎ込んだときに、カップ２の広径開口端部７ａとカップ２の小径閉塞端部５ａは注ぎ込んだ熱い液体（コーヒー、紅茶等）の熱が直接伝導するものではなく、熱伝導が遅いため、カップ２の広径開口端部７ａとカップ２の小径閉塞端部５ａを持つことで少しの時間（容器内に注ぎ込んだコーヒー、紅茶等の熱い液体の熱が伝導されるまでの時間）持つに耐えられるからである。
【００１４】
また、カップ２が、底部４から上方にラッパ状に拡がり開口する広径開口部７を備えて構成されているのは、カップ２の内部に熱い液体（コーヒー、紅茶等）を注ぎ込んだときに、熱い液体が上面で外気に接触し、ラッパ状に拡がり開口しておくことにより外気に接触する面が広く稼げるからである。
【００１５】
ホルダー３は、一端が狭径に形成され開口する底部開口部８によって形成され、この底部開口部８の底部開口端部８ａから上方にラッパ状に拡がり形成される筒部９を備え、他端が広径に形成され開口する広径開口部１０を備えて構成されている。このホルダー３は、図２に示す如く、広径開口部端部１０ａ側からカップ２の底部４を嵌合し、カップ２に重ねて収納されている。このホルダー３は、カップ２収納時にも、熱い液体（コーヒー、紅茶等）を注ぎ込んでカップ２を使用する場合にも、ホルダー３をカップ２の外側に嵌合した状態にしておく。このようにホルダー３をカップ２の外側に嵌合した状態で使用すると、カップ２内に熱い液体（コーヒー、紅茶等）を注ぎ込んで、カップ２を持つとき、ホルダー３を介して持つことになる。このため、注ぎ込んだ熱い液体（コーヒー、紅茶等）の熱は、直接ホルダー３に伝導するものではなく、カップ２が熱くなってから、熱がホルダー３に伝導するため持ったときに容器内に注ぎ込んだコーヒー、紅茶等の熱い液体の熱の影響を受けるのを防止できる。
【００１６】
ホルダー３は、カップ２の上部半分の部分と同一の形状に形成されている。このように構成することにより、カップ２を複数個製造し、カップ２の製造個数の半分の個数を高さ中央で半分に切り、上半分をカップ２の外側に嵌合して組を構成することにより、ホルダー３を製造するための別な製造工程を必要とせず容易に、安価に製造することができる。
【実施例２】
【００１７】
図３には本発明に係るカップセットの第２の実施例を示す全体構成図が示されている。
【００１８】
図３において、カップセット１は、カップ２とホルダー３とからなっている。このカップ２は、底部４によって閉塞された小径閉塞部５を備え、この底部４から上方にラッパ状に拡がる筒部６を有している。この筒部６の上端部には、開口する広径開口部７が形成されている。この底部４は、カップ２の小径閉塞端部５ａより少し上がった位置に設けられている。このように底部４を、カップ２の小径閉塞端部５ａより少し上がった位置に設けるのは、カップ２に熱い液体（コーヒー、紅茶等）を注ぎ込んだときに、カップ２の広径開口端部７ａとカップ２の小径閉塞端部５ａは注ぎ込んだ熱い液体（コーヒー、紅茶等）の熱が直接伝導するものではなく、熱伝導が遅いため、カップ２の広径開口端部７ａとカップ２の小径閉塞端部５ａを持つことで少しの時間（容器内に注ぎ込んだコーヒー、紅茶等の熱い液体の熱が伝導されるまでの時間）持つに耐えられるからである。
【００１９】
また、カップ２のラッパ状に形成される筒部６の側面には、周回する溝状の凹部１１が形成されている。このカップ２の側面に周回して形成される溝状の凹部１１は、ホルダー３を重ね合わせたときに、容易にずれないようにするためのものである。
【００２０】
一方、ホルダー３は、一端が小径に形成され開口する底部開口部８によって形成され、この底部開口部８の底部開口端部８ａから上方にラッパ状に拡がり形成される筒部９を備え、他端が広径に形成され開口する広径開口部１０を備えて構成されている。このホルダー３は、広径開口部端部１０ａ側からカップ２の底部４を嵌合し、カップ２に重ねて収納されている。また、このホルダー３の底部開口端部８ａには、ホルダー３をカップ２に重ね合わせて収納したときにカップ２の側面に周回して形成される溝状の凹部１１に嵌着係合する凸部１２が形成されている。したがって、カップ２のラッパ状に形成されるカップ側面に周回して溝状の凹部１１が形成されている位置と、ホルダー３をカップ２に重ね合わせて収納したときにホルダー３の底部開口端部８ａに形成される凸部１２の当接する位置がほぼ同一になるように形成されている。このホルダー３の底部開口端部８ａに形成される凸部１２の形成位置は、必ずしも一致していなければならないものではなく、ホルダー３をカップ２に重ね合わせて収納したときにホルダー３の底部開口端部８ａに形成される凸部１２がカップ側面に周回して溝状に形成される凹部１１に嵌着係合すれば、その目的は達成される。
【００２１】
このようにホルダー３は、カップ２に重ね合わせて収納する際に、ホルダー３の底部開口端部８ａに形成される凸部１２をカップ２の側面に周回して形成される溝状の凹部１１に嵌着させて収納することによって、収納するときに場所を取ることがない。
【００２２】
このホルダー３は、カップ２収納時にも、熱い液体（コーヒー、紅茶等）を注ぎ込んでカップ２を使用する場合にも、ホルダー３をカップ２の外側に嵌合した状態にしておく。このようにホルダー３をカップ２の外側に嵌合した状態で使用すると、カップ２内に熱い液体（コーヒー、紅茶等）を注ぎ込んで、カップ２を持つとき、ホルダー３を介して持つことになる。このため、注ぎ込んだ熱い液体（コーヒー、紅茶等）の熱は、直接ホルダー３に伝導するものではなく、カップ２が熱くなってから、熱がホルダー３に伝導するため持ったときに容器内に注ぎ込んだコーヒー、紅茶等の熱い液体の熱の影響を受けるのを防止できる。また、ホルダー３の広径開口部端部８ａを持ってテーブルの上に載置したときに、ホルダー３がカップ２からずれ落ちるのを防止することができる。
【００２３】
ホルダー３は、カップ２の上部半分の部分と同一の形状に形成されている。このように構成することにより、カップ２を複数個製造し、カップ２の製造個数の半分の個数を高さ中央で半分に切り、上半分をカップ２の外側に嵌合して組を構成することにより、ホルダー３を製造するための別な製造工程を必要とせず容易に、安価に製造することができる。
【実施例３】
【００２４】
図４には本発明に係るカップセットの第３の実施例を示す全体構成図が示されている。
【００２５】
図４において、カップセット１は、カップ２とホルダー３とからなっている。このカップ２は、底部４によって閉塞された小径閉塞部５を備え、この底部４から上方にラッパ状に拡がる筒部６を有している。この筒部６の上端部には、開口する広径開口部７が形成されている。この底部４は、カップ２の小径閉塞端部５ａより少し上がった位置に設けられている。このように底部４を、カップ２の小径閉塞端部５ａより少し上がった位置に設けるのは、カップ２に熱い液体（コーヒー、紅茶等）を注ぎ込んだときに、カップ２の広径開口端部７ａとカップ２の小径閉塞端部５ａは注ぎ込んだ熱い液体（コーヒー、紅茶等）の熱が直接伝導するものではなく、熱伝導が遅いため、カップ２の広径開口端部６ａとカップ２の小径閉塞端部５ａを持つことで少しの時間（容器内に注ぎ込んだコーヒー、紅茶等の熱い液体の熱が伝導されるまでの時間）持つに耐えられるからである。
【００２６】
また、カップ２が、底部４から上方にラッパ状に拡がり開口する広径開口部６を備えて構成されているのは、カップ２の内部に熱い液体（コーヒー、紅茶等）を注ぎ込んだときに、熱い液体が上面で外気に接触し、ラッパ状に拡がり開口しておくことにより外気に接触する面が広く稼げるからである。
【００２７】
ホルダー３は、一端が小径に形成され開口する底部開口部７によって形成され、この底部開口部７の底部開口端部７ａから上方にラッパ状に拡がり形成される筒部９を備え、他端が広径に形成され開口する広径開口部１０を備えて構成されている。このホルダー３は、広径開口部端部１０ａ側からカップ２の底部４を嵌合し、カップ２に重ねて収納されるようになっている。このホルダー３の内側には、ホルダー３をカップ２に重ね合わせて収納したときにカップ２の側面をホルダー３の内面から押さえつける舌片１３が９０度の位相差をもって（等間隔に）４つ（１３ａ，１３ｂ，１３ｃ，１３ｄ）設けられている。このホルダー３の内側に舌片１３は、筒方向に長い板状部材で形成され、一端が折り曲げられてホルダー３の内側に筒方向と同じ方向に向けて固着されている。
【００２８】
このホルダー３の内側に舌片１３を４つ設けたのは、カップ２に重ねて収納したときに安定性が良いからで、舌片１３は、２個以上で有ればいくつでも良い。また、ホルダー３の内側に舌片１３を複数個設ける場合、必ずしも等間隔である必要はない。この舌片１３ａ，舌片１３ｂ，舌片１３ｃ，舌片１３ｄは、それぞれいずれかに屈曲するように構成されており、ホルダー３の内側の曲面に沿って収納されるように形成されている。
【００２９】
このホルダー３は、広径開口部端部１０ａ側からカップ２の底部４を嵌合し、カップ２に重ねて収納されている。このホルダー３は、カップ２収納時にも、熱い液体（コーヒー、紅茶等）を注ぎ込んでカップ２を使用する場合にも、ホルダー３をカップ２の外側に嵌合した状態にしておく。このようにホルダー３をカップ２の外側に嵌合した状態で使用すると、カップ２内に熱い液体（コーヒー、紅茶等）を注ぎ込んで、カップ２を持つとき、ホルダー３を介して持つことになる。このため、注ぎ込んだ熱い液体（コーヒー、紅茶等）の熱は、直接ホルダー３に伝導するものではなく、カップ２が熱くなってから、熱がホルダー３に伝導するため持ったときに容器内に注ぎ込んだコーヒー、紅茶等の熱い液体の熱の影響を受けるのを防止できる。
【００３０】
このホルダー３は、カップ２収納時にも、熱い液体（コーヒー、紅茶等）を注ぎ込んでカップ２を使用する場合にも、ホルダー３をカップ２の外側に嵌合した状態にしておく。このようにホルダー３をカップ２の外側に嵌合した状態で使用すると、カップ２内に熱い液体（コーヒー、紅茶等）を注ぎ込んで、カップ２を持つとき、ホルダー３を介して持つことになる。このため、注ぎ込んだ熱い液体（コーヒー、紅茶等）の熱は、直接ホルダー３に伝導するものではなく、カップ２が熱くなってから、熱がホルダー３に伝導するため持ったときに容器内に注ぎ込んだコーヒー、紅茶等の熱い液体の熱の影響を受けるのを防止できる。また、ホルダー３の広径開口部端部１０ａを持ってテーブルの上に載置したときに、ホルダー３の内側に設けられている舌片１３ａ，舌片１３ｂ，舌片１３ｃ，舌片１３ｄによってカップ２の側面をホルダー３の内面から押さえ付けるように圧が係り、容器内に注ぎ込んだコーヒー、紅茶等の重みによってカップ２がホルダー３の内側に設けられている舌片１３ａ，舌片１３ｂ，舌片１３ｃ，舌片１３ｄを外側に押圧する力が加わり、ホルダー３がカップ２からずれ落ちるのを防止することができる。
【００３１】
また、ホルダー３は、カップ２の上部半分の部分と同一の形状に形成されている。このように構成することにより、カップ２を複数個製造し、カップ２の製造個数の半分の個数を高さ中央で半分に切り、上半分をカップ２の外側に嵌合して組を構成することにより、ホルダー３を製造するための別な製造工程を必要とせず容易に、安価に製造することができる。
【実施例４】
【００３２】
図５〜８には本発明に係るカップセットの第４の実施例を示す全体構成図が示されている。
【００３３】
図５において、カップセット１は、カップ２とホルダー１４とからなっている。このカップ２は、底部４によって閉塞された小径閉塞部５を備え、この底部４から上方にラッパ状に拡がる筒部６を有している。この筒部６の上端部には、開口する広径開口部７が形成されている。この底部４は、カップ２の小径閉塞端部５ａより少し上がった位置に設けられている。このように底部４を、カップ２の小径閉塞端部５ａより少し上がった位置に設けるのは、カップ２に熱い液体（コーヒー、紅茶等）を注ぎ込んだときに、カップ２の広径開口端部７ａとカップ２の小径閉塞端部５ａは注ぎ込んだ熱い液体（コーヒー、紅茶等）の熱が直接伝導するものではなく、熱伝導が遅いため、カップ２の広径開口端部７ａとカップ２の小径閉塞端部５ａを持つことで少しの時間（容器内に注ぎ込んだコーヒー、紅茶等の熱い液体の熱が伝導されるまでの時間）持つに耐えられるからである。
【００３４】
また、カップ２が、底部４から上方にラッパ状に拡がり開口する広径開口部７を備えて構成されているのは、カップ２の内部に熱い液体（コーヒー、紅茶等）を注ぎ込んだときに、熱い液体が上面で外気に接触し、ラッパ状に拡がり開口しておくことにより外気に接触する面が広く稼げるからである。
【００３５】
ホルダー１４は、上端が小径に形成され開口する上部小径開口部１５によって形成され、この上部小径開口部１５の上部小径開口端部１５ａから下方にラッパ状に拡がりテーパー状に形成される筒部１６を備え、下端が大径に形成され開口する下部大径開口部１７によって形成されている。このホルダー１４は、図６に示す如く、上部小径開口端部１５ａ側からカップ２の底部４を嵌合し、カップ２に重ねてカップセット１が形成されている。このようにホルダー１４をカップ２の外側にカップ２の底部４側が広がるように嵌合した状態で使用される。
【００３６】
このカップ２内に熱い液体（コーヒー、紅茶等）を注ぎ込んで、カップ２を持つときは、ホルダー１４を持つことになる。このときの注ぎ込んだ熱い液体（コーヒー、紅茶等）の熱は、直接ホルダー１４に伝導するものではなく、カップ２が熱くなってから、熱がホルダー１４に伝導する。このため持ったときに容器内に注ぎ込んだコーヒー、紅茶等の熱い液体の熱の影響を受けるのを防止することができる。
【００３７】
そして、カップ２内に熱い液体（コーヒー、紅茶等）を注ぎ込んで、テーブル１８の上に載置したときには、ホルダー１４の下部大径開口部１７の下部大径開口端部１７ａがテーブル１８の上面に接地し、ホルダー１４の下部大径開口端部１７ａは、カップ２の広径開口部７と同径に形成されているため、安定して、カップ２が倒れるのを防止することができる。カップ２の容器内に液体（コーヒー、紅茶等）を注入すると、カップ２は、容器内の液体の重さによって、下方に力が加わり、ホルダー１４の下部大径開口端部１７ａをテーブルの上面に押圧することになり、安定性を増すことができる。
【００３８】
ホルダー１４は、カップ２の上部半分の部分と同一の形状に形成されている。このように構成することにより、カップ２を複数個製造し、カップ２の製造個数の半分の個数を高さ中央で半分に切り、上半分をカップ２の外側に嵌合して組を構成することにより、ホルダー１４を製造するための別な製造工程を必要とせず容易に、安価に製造することができる。このようにホルダー１４をカップ２の上部半分の部分と同一の形状に形成すると、図７に示す如く、ホルダー１４の上部小径開口部側１５からカップ２の底部４側を嵌合して装着してときにカップ２の小径閉塞端部５ａとホルダー１４の下部大径開口端部１７ａとが面一になるように構成されている。
【００３９】
また、ホルダー１４は、カップ２の上部半分の部分よりもテーパー角度を大きくすると、ホルダー１４の上部小径開口端部１５ａ側からカップ２の底部４側を嵌合して装着してときにカップ２の小径閉塞端部５ａをホルダー１４の下部大径開口端部１７ａの位置（テーブルの上面）から距離αだけ高くすることができる。このようにカップ２の小径閉塞端部５ａをホルダー１４の下部大径開口端部１７ａの位置（テーブル１８の上面）から距離αだけ高くするのは、容器内に熱い液体（コーヒー、紅茶等）を注ぎ込んで、テーブルの上に載置したときに、ホルダー１４の下部大径開口部１７の下部大径開口端部１７ａがテーブル１８の上面に接地し、この下部大径開口端部１７ａを押しつけるようにカップ２の重量が加わり、カップ２の重量でカップ２の小径閉塞端部５ａがテーブル１８の上面に接地し、より安定性を増すように作用するようになるからである。
【実施例５】
【００４０】
図９には本発明に係るカップセットの第５の実施例を示す全体構成図が示されている。
【００４１】
図９において、カップセット１は、カップ２とホルダー１４とからなっている。このカップ２は、底部４によって閉塞された小径閉塞部５を備え、この底部４から上方にラッパ状に拡がる筒部６を有している。この筒部６の上端部には、開口する広径開口部７が形成されている。この底部４は、カップ２の小径閉塞端部５ａより少し上がった位置に設けられている。このように底部４を、カップ２の小径閉塞端部５ａより少し上がった位置に設けるのは、カップ２に熱い液体（コーヒー、紅茶等）を注ぎ込んだときに、カップ２の広径開口端部７ａとカップ２の小径閉塞端部５ａは注ぎ込んだ熱い液体（コーヒー、紅茶等）の熱が直接伝導するものではなく、熱伝導が遅いため、カップ２の広径開口端部６ａとカップ２の小径閉塞端部５ａを持つことで少しの時間（容器内に注ぎ込んだコーヒー、紅茶等の熱い液体の熱が伝導されるまでの時間）持つに耐えられるからである。
【００４２】
また、カップ２が、底部４から上方にラッパ状に拡がり開口する広径開口部７を備えて構成されているのは、カップ２の内部に熱い液体（コーヒー、紅茶等）を注ぎ込んだときに、熱い液体が上面で外気に接触し、ラッパ状に拡がり開口しておくことにより外気に接触する面が広く稼げるからである。
【００４３】
また、カップ２のラッパ状に形成される筒部６の側面には、周回する溝状の凹部１９が形成されている。このカップ２の側面に周回して形成される溝状の凹部１９は、ホルダー１４を重ね合わせたときに、容易にずれないようにするためのものである。
【００４４】
一方、ホルダー１４は、上端が小径に形成され開口する上部小径開口部１５によって形成され、この上部小径開口部１５の上部小径開口端部１５ａから下方にラッパ状に拡がるテーパー状に形成される筒部１６を備え、下端が大径に形成され開口する下部大径開口部１７によって形成されている。このホルダー１４は、上部小径開口端部１５ａ側からカップ２の底部４を嵌合し、カップ２に重ねることによってカップセット１を形成している。このようにホルダー１４は、カップ２の外側にカップ２の底部４側が広がるように嵌合した状態で使用される。また、このホルダー１４の下部大径開口部１７の下部大径開口端部１７ａには、ホルダー１４をカップ２の底部４側から嵌合したときに、カップ２の筒部６の側面に周回して形成される溝状の凹部１９に嵌着係合する凸部２０が形成されている。
【００４５】
したがって、カップ２のラッパ状に形成される筒部６の側面に周回して溝状に形成される凹部１９が形成されている位置と、ホルダー１４をカップ２に嵌合したときにホルダー１４の上部小径開口端部１５ａに形成される凸部２０の当接する位置とがほぼ同一になるように形成されている。このホルダー１４の上部小径開口端部１５ａに形成される凸部２０の形成位置は、必ずしも一致していなければならないものではなく、ホルダー１４をカップ２に嵌合したときにホルダー１４の上部小径開口端部１５ａに形成される凸部２０がカップ２のラッパ状に形成される筒部６の側面に周回して溝状に形成される凹部１９に嵌着係合すれば、その目的は達成される。
【００４６】
このカップ２内に熱い液体（コーヒー、紅茶等）を注ぎ込んで、カップ２を持つときは、ホルダー１４を持つことになる。このときの注ぎ込んだ熱い液体（コーヒー、紅茶等）の熱は、直接ホルダー１４に伝導するものではなく、カップ２が熱くなってから、熱がホルダー１４に伝導する。このため持ったときに容器内に注ぎ込んだコーヒー、紅茶等の熱い液体の熱の影響を受けるのを防止することができる。
【００４７】
このホルダー１４は、熱い液体（コーヒー、紅茶等）を注ぎ込んでカップ２を使用する場合に、ホルダー１４をカップ２の外側に嵌合した状態にしておく。このようにホルダー１４をカップ２の外側に嵌合した状態で使用すると、カップ２内に熱い液体（コーヒー、紅茶等）を注ぎ込んで、カップ２を持つとき、ホルダー１４を介して持つことになる。このため、注ぎ込んだ熱い液体（コーヒー、紅茶等）の熱は、直接ホルダー１４に伝導するものではなく、カップ２が熱くなってから、熱がホルダー１４に伝導するため持ったときに容器内に注ぎ込んだコーヒー、紅茶等の熱い液体の熱の影響を受けるのを防止できる。また、ホルダー１４の下部大径開口部１７の下部大径開口端部１７ａを持ってテーブルの上に載置したときに、ホルダー１４がカップ２からずれ落ちるのを防止することができる。
【００４８】
ホルダー１４は、カップ２の上部半分の部分と同一の形状に形成されている。このように構成することにより、カップ２を複数個製造し、カップ２の製造個数の半分の個数を高さ中央で半分に切り、上半分をカップ２の外側に嵌合して組を構成することにより、ホルダー１４を製造するための別な製造工程を必要とせず容易に、安価に製造することができる。
【実施例６】
【００４９】
図１０〜１３には本発明に係るカップセットの第６の実施例を示す全体構成図が示されている。
【００５０】
図１０において、カップセット１は、カップ２とホルダー１４とからなっている。このカップ２は、底部４によって閉塞された小径閉塞部５を備え、この底部４から上方にラッパ状に拡がる筒部６を有している。この筒部６の上端部には、開口する広径開口部７が形成されている。この底部４は、カップ２の小径閉塞端部５ａより少し上がった位置に設けられている。このように底部４を、カップ２の小径閉塞端部５ａより少し上がった位置に設けるのは、カップ２に熱い液体（コーヒー、紅茶等）を注ぎ込んだときに、カップ２の広径開口端部７ａとカップ２の小径閉塞端部５ａは注ぎ込んだ熱い液体（コーヒー、紅茶等）の熱が直接伝導するものではなく、熱伝導が遅いため、カップ２の広径開口端部６ａとカップ２の小径閉塞端部５ａを持つことで少しの時間（容器内に注ぎ込んだコーヒー、紅茶等の熱い液体の熱が伝導されるまでの時間）持つに耐えられるからである。
【００５１】
また、カップ２が、底部４から上方にラッパ状に拡がり開口する広径開口部７を備えて構成されているのは、カップ２の内部に熱い液体（コーヒー、紅茶等）を注ぎ込んだときに、熱い液体が上面で外気に接触し、ラッパ状に拡がり開口しておくことにより外気に接触する面が広く稼げるからである。
【００５２】
一方、ホルダー１４は、上端が小径に形成され開口する上部小径開口部１５によって形成され、この上部小径開口部１５の上部小径開口端部１５ａから下方にラッパ状に拡がるテーパー状に形成される筒部１６を備え、下端が大径に形成され開口する下部大径開口部１７によって形成されている。このホルダー１４は、図１１に示す如く、上部小径開口端部１５ａ側からカップ２の底部４を嵌合し、カップ２に重ねることによって、カップ２と共にカップセット１を形成している。このようにホルダー１４は、カップ２の外側にカップ２の底部４側が広がるように嵌合した状態で使用される。また、このホルダー１４のテーパー状に形成される筒部１６の内側には、図１２に示す如く、ホルダー１４をカップ２の底部４側から嵌合したときに、カップ２の側面をホルダー１４の内面側から押さえつける舌片２１が９０度の位相差をもって（等間隔に）４つ（２１ａ，２１ｂ，２１ｃ，２１ｄ）設けられている。このホルダー１４の筒部１６の内面に形成される舌片２１は、筒方向に長い板状部材で形成され、図１３に示す如く、一端が折り曲げられてホルダー１４の筒部１６の内面に筒方向と同じ方向に向けて固着されている。
【００５３】
そして、ホルダー１４にホルダー１４の上部小径開口端部１５ａ側からカップ２の底部４を嵌合して、ホルダー１４にカップ２を装着するときは、折り曲げられた４つの舌片２１ａ，舌片２１ｂ，舌片２１ｃ，舌片２１ｄを起こし、この４つの舌片２１ａ，舌片２１ｂ，舌片２１ｃ，舌片２１ｄが立った状態でカップ２の底部４をホルダー１４の上部小径開口端部１５ａ側から嵌合する。したがって、ホルダー１４を上部小径開口端部１５ａ側からカップ２の底部４を嵌合して、ホルダー１４にカップ２を装着したときには、ホルダー１４の筒部１６の内面に形成される舌片２１ａ，舌片２１ｂ，舌片２１ｃ，舌片２１ｄによってカップ２の筒部６を外側面から押圧支持することになる。
【００５４】
このホルダー１４の筒部１６の内面に舌片２１を４つ設けたのは、ホルダー１４にホルダー１４の上部小径開口端部１５ａ側からカップ２の底部４を嵌合してカップ２の筒部６を外側面から押圧支持するのに適しているからである。したがって、舌片２１によってカップ２の筒部６を外側面から押圧支持できれば、舌片２１の数は、２個以上で有ればいくつでも良い。また、ホルダー１４の筒部６の内面に舌片２１を複数個設ける場合、必ずしも等間隔である必要はない。この舌片２１ａ，舌片２１ｂ，舌片２１ｃ，舌片２１ｄは、それぞれいずれかに屈曲するように構成されており、ホルダー１４の筒部１６の内面の曲面に沿うように収納されている。
【００５５】
このホルダー１４は、下部大径開口端部１７ａ側からカップ２の底部４を嵌合し、カップ２に重ねて収納されている。このホルダー１４は、熱い液体（コーヒー、紅茶等）を注ぎ込んでカップ２を使用する場合に、ホルダー１４をカップ２の外側に嵌合した状態にしておく。このようにホルダー１４をカップ２の外側に嵌合した状態で使用すると、カップ２内に熱い液体（コーヒー、紅茶等）を注ぎ込んで、カップ２を持つとき、ホルダー１４を介して持つことになる。このため、注ぎ込んだ熱い液体（コーヒー、紅茶等）の熱は、直接ホルダー１４に伝導するものではなく、カップ２が熱くなってから、熱がホルダー１４に伝導するため持ったときに容器内に注ぎ込んだコーヒー、紅茶等の熱い液体の熱の影響を受けるのを防止できる。また、ホルダー１４の下部大径開口部１７の下部大径開口端部１７ａを持ってテーブルの上に載置したときに、ホルダー１４の筒部１６の内面に形成される舌片２１ａ，舌片２１ｂ，舌片２１ｃ，舌片２１ｄによってカップ２の筒部６を外側面から押圧支持しているため、安定性を確保することができる。
【００５６】
また、ホルダー１４は、カップ２の上部半分の部分と同一の形状に形成されている。このように構成することにより、カップ２を複数個製造し、カップ２の製造個数の半分の個数を高さ中央で半分に切り、上半分をカップ２の外側に嵌合して組を構成することにより、ホルダー１４を製造するための別な製造工程を必要とせず容易に、安価に製造することができる。
【図面の簡単な説明】
【００５７】
【図１】本発明の第１実施例を示すカップセットの全体構成斜視図である。
【図２】図１に図示のカップセットの使用状態を示す図である。
【図３】本発明の第２実施例を示すカップセットの全体構成斜視図である。
【図４】本発明の第３実施例を示すカップセットの全体構成斜視図である。
【図５】本発明の第４実施例を示すカップセットの全体構成斜視図である。
【図６】図５に図示のカップセットの使用状態を示す図である。
【図７】図５に図示のカップセットの縦断面図である。
【図８】図５に図示のカップセットの使用時のカップとホルダーの状態を示す図である。
【図９】本発明の第５実施例を示すカップセットの縦断面全体構成図である。
【図１０】本発明の第６実施例を示すカップセットの縦断面全体構成図である。
【図１１】図１０に図示のカップセットの縦断面図である。
【図１２】図１０に図示のホルダーの一部断面全体斜視図である。
【図１３】図１２に図示のホルダーの底面図である。
【符号の説明】
【００５８】
１………………………………カップセット
２………………………………カップ
３，１４………………………ホルダー
４………………………………底部
５………………………………小径閉塞部
６………………………………筒部
７………………………………広径開口部
８………………………………底部開口部
９………………………………筒部
１０……………………………広径開口部
１１……………………………凹部
１２……………………………凸部
１３……………………………舌片
１５……………………………上部小径開口部
１６……………………………筒部
１７……………………………下部大径開口部
１８……………………………テーブル
１９……………………………凹部
２０……………………………凸部
２１……………………………舌片
【図１】
2007037869.tif 000003
【図２】
2007037869.tif 000004
【図３】
2007037869.tif 000005
【図４】
2007037869.tif 000006
【図５】
2007037869.tif 000007
【図６】
2007037869.tif 000008
【図７】
2007037869.tif 000009
【図８】
2007037869.tif 000010
【図９】
2007037869.tif 000011
【図１０】
2007037869.tif 000012
【図１１】
2007037869.tif 000013
【図１２】
2007037869.tif 000014
【図１３】
2007037869.tif 000015